(57)【特許請求の範囲】
【請求項１】
講義の教材を示す教材データを、複数の端末に配信する配信手段と、
前記配信手段によって配信された教材データに対して、コメントとそのコメントの属性を示すコメントデータが付与されたコメント付教材データを、前記複数の端末から受信する受信手段と、
前記受信手段により受信された教材データに付与されたコメントデータを、前記属性毎に分類する分類手段と、
前記属性毎に異なる編集態様で前記教材データを編集する編集手段であって、前記分類手段によって分類されたコメントデータを用いて、前記教材データを該分類されたコメントデータの属性に応じた編集態様で編集する編集手段と、
前記編集手段により編集された教材データを出力する出力手段と
を具備することを特徴とする教材編集装置。
【請求項２】
前記分類手段によって分類されたコメントデータのなかから、予め定められた条件を満たすものを抽出する抽出手段
を具備し、
前記編集手段は、前記抽出手段によって抽出されたコメントデータを用いて、前記教材データを前記抽出されたコメントデータの属性に応じた編集態様で編集する
ことを特徴とする請求項１に記載の教材編集装置。
【請求項３】
前記編集手段は、前記コメントデータの属性が予め定められた第１の属性である場合に、該コメントデータの示すコメントを、前記教材データの示す教材に追加するように編集する
ことを特徴とする請求項１又は２に記載の教材編集装置。
【請求項４】
用語の説明を示す用語説明データを、前記用語毎に記憶する記憶手段
を具備し、
前記編集手段は、前記コメントデータの属性が予め定められた第２の属性である場合に、前記記憶手段を参照して、該コメントデータの示すコメントに対応する用語説明データを前記記憶手段から読み出し、読み出した用語説明データの示す用語の説明を、前記教材データの示す教材に追加するように編集する
ことを特徴とする請求項１乃至３のいずれか１項に記載の教材編集装置。
【請求項５】
前記教材を構成する複数の項目のそれぞれについて、難易度の異なる項目別教材データを前記難易度毎に記憶する項目別教材データ記憶手段
を具備し、
前記教材データは、複数の項目の項目別教材データで構成され、
前記編集手段は、前記コメントデータの属性が予め定められた第３の属性である場合に、該コメントデータの示すコメントに対応する項目の項目別教材データを、該コメントに応じた難易度に対応する項目別教材データに差し替えることによって前記教材データを編集する
ことを特徴とする請求項１乃至４のいずれか１項に記載の教材編集装置。
【請求項６】
前記分類手段によって分類されたコメントデータを用いて、前記教材データと異なる第２の教材データを、前記属性に応じた編集態様で編集する第２の編集手段
を具備することを特徴とする請求項１乃至５のいずれか１項に記載の教材編集装置。
【発明の詳細な説明】
【技術分野】
【０００１】
本発明は、教材編集装置に関する。
【背景技術】
【０００２】
近年、インターネット等のネットワークを介して講義を行うシステムが知られている。このような講義においては、講師が予め用意した教材を受講者に配布して講義を行うものもある。この場合、受講者は、配布された教材を参照しつつ受講することで、講義の理解を深めることができる。また、特許文献１には、教材知識編集工数を短縮すると共に、教材構造知識編集も含めたＣＡＩ教材作成をだれでも実施することを可能にするための教材流用支援システムが提案されている。
【特許文献１】特開平１１−２４９５３７号公報
【発明の開示】
【発明が解決しようとする課題】
【０００３】
ところで、受講者に配布される教材と受講者の理解度や到達レベルとの間にずれがある場合がある。具体的には、例えば、作成された教材の内容が簡単すぎて受講者の学習に有益でない場合や、逆に、教材の内容が難しすぎて受講者が講義内容を理解できなかったりする場合がある。
本発明は上述した背景の下になされたものであり、講義等（講義及びこれに類するもの）を実施する場合において、従来と比較して、受講者の理解レベルや到達レベル等に合った教材を受講者に提供することのできる技術を提供することを目的とする。
【課題を解決するための手段】
【０００４】
上記課題を解決するため、本発明は、講義の教材を示す教材データを、複数の端末に配信する配信手段と、前記配信手段によって配信された教材データに対して、コメントとそのコメントの属性を示すコメントデータが付与されたコメント付教材データを、前記複数の端末から受信する受信手段と、前記受信手段により受信された教材データに付与されたコメントデータを、前記属性毎に分類する分類手段と、前記属性毎に異なる編集態様で前記教材データを編集する編集手段であって、前記分類手段によって分類されたコメントデータを用いて、前記教材データを該分類されたコメントデータの属性に応じた編集態様で編集する編集手段と、前記編集手段により編集された教材データを出力する出力手段とを具備することを特徴とする。
【０００５】
また、本発明の好ましい態様において、前記分類手段によって分類されたコメントデータのなかから、予め定められた条件を満たすものを抽出する抽出手段を具備し、前記編集手段は、前記抽出手段によって抽出されたコメントデータを用いて、前記教材データを前記抽出されたコメントデータの属性に応じた編集態様で編集してもよい。
【０００６】
本発明の更に好ましい態様において、前記編集手段は、前記コメントデータの属性が予め定められた第１の属性である場合に、該コメントデータの示すコメントを、前記教材データの示す教材に追加するように編集してもよい。
【０００７】
また、本発明の更に好ましい態様において、用語の説明を示す用語説明データを、前記用語毎に記憶する記憶手段を具備し、前記編集手段は、前記コメントデータの属性が予め定められた第２の属性である場合に、前記記憶手段を参照して、該コメントデータの示すコメントに対応する用語説明データを前記記憶手段から読み出し、読み出した用語説明データの示す用語の説明を、前記教材データの示す教材に追加するように編集してもよい。
【０００８】
また、本発明の更に好ましい態様において、前記教材を構成する複数の項目のそれぞれについて、難易度の異なる項目別教材データを前記難易度毎に記憶する項目別教材データ記憶手段を具備し、前記教材データは、複数の項目の項目別教材データで構成され、前記編集手段は、前記コメントデータの属性が予め定められた第３の属性である場合に、該コメントデータの示すコメントに対応する項目の項目別教材データを、該コメントに応じた難易度に対応する項目別教材データに差し替えることによって前記教材データを編集してもよい。
【０００９】
また、本発明の更に好ましい態様において、前記分類手段によって分類されたコメントデータを用いて、前記教材データと異なる第２の教材データを、前記属性に応じた編集態様で編集する第２の編集手段具備してもよい。
【発明の効果】
【００１０】
本発明によれば、講義等を実施する場合において、従来と比較して、受講者の理解レベルや到達レベル等に合った教材を受講者に提供することができる。
【発明を実施するための最良の形態】
【００１１】
＜Ａ：構成＞
図１は、本発明の一実施形態であるネットワーク講義システムの構成を示す図である。図において、サーバ装置１は、端末２に対して、講義で用いられる教材を表す教材データを配信する装置である。端末２は、サーバ装置１と相互に通信可能な通信装置であり、例えばパーソナルコンピュータである。なお、端末２としては、パーソナルコンピュータに限定することなく、後述する動作を実行可能な種々の通信装置を採用し得る。端末２は、本システムにおいて講義を受講するユーザが使用する通信装置である。端末２を使用するユーザのことを、以下では「受講者」という。受講者は、本システムにおいては複数であり、各々の端末を用いて講義を受講する。ネットワーク３は、サーバ装置１と端末２とを通信可能にするネットワークであり、例えばインターネットやＬＡＮ（Local Area Network）である。なお、ネットワーク３は、サーバ装置１と端末２とを通信可能にするものであれば、その具体的な形態を問わず、いわゆるPeer to Peer型のネットワークであってもよい。また、ネットワーク３は、有線であっても無線であってもよく、これらを組み合わせたものであってもよい。
【００１２】
図２は、サーバ装置１の構成を示すブロック図である。図において、制御部１１は、ＣＰＵ（Central Processing Unit）等の演算装置やメモリを備え、予め記憶されたプログラムを実行することによってサーバ装置１の動作を制御する。通信部１２は、ネットワーク３を介したデータの送受信を可能にするインタフェースであり、制御部１１により供給されたデータを、ネットワーク３を介して送信するとともに、ネットワーク３を介して受信したデータを制御部１１に供給する。情報入力部１３は、各種のデータを入力するためのインタフェースである。本実施形態の情報入力部１３は、音声を入力するためのマイクロホンと、文字等を入力するためのキーボードやマウスとを備える。情報出力部１４は、データを出力するためのインタフェースである。本実施形態の情報出力部１４は、放音するスピーカと、文字等を含む画像を表示する表示装置とを備える。なお、情報出力部１４が表示する画像は、静止画であってもよいし、動画であってもよい。記憶部１５は、制御部１１によって実行されるコンピュータプログラムや制御部１１が参照するデータを記憶する記憶手段であり、例えばハードディスクである。なお、記憶部１５は、光ディスク（ＤＶＤ等）のように、サーバ装置１と別体に構成されたものであってもよく、また、ネットワーク接続されたリモートストレージ装置であってもよい。
【００１３】
記憶部１５は、図示のように、項目別教材データテーブル記憶領域１５１と、配布用教材データ記憶領域１５２と、講義別項目テーブル記憶領域１５３と、コメント付教材データ記憶領域１５４と、用語説明テーブル記憶領域１５５とを有している。項目別教材データテーブル記憶領域１５１には、教材を構成する複数の項目のそれぞれについて、難易度の異なる項目別の教材を示す教材データが、難易度毎に記憶されている。
図３は、項目別教材データテーブルの内容の一例を示す図である。図３に示す例においては、複数の項目のそれぞれについて、「難易度」が「１」〜「５」のそれぞれの項目別の教材を示すデータ（以下「項目別教材データ」という）が記憶されている。なお、この実施形態では、「難易度」が「１」の項目別教材データが難易度が最も低く、「難易度」の値が高いほど難易度が高いものとする。
【００１４】
配布用教材データ記憶領域１５２には、受講者に配布するための教材を示すデータ（以下「配布用教材データ」）が講義毎に記憶されている。この実施形態では、受講者に配布する教材は、複数の項目が組み合わされて構成されている。すなわち、端末２に配布される配布用教材データは、項目別教材データテーブル記憶領域１５１に記憶された項目毎の項目別教材データが複数組み合わされて構成されている。
図４は、配布用教材データの示す教材の内容の一例を示す図である。図４に示す例では、配布用教材データＤ１は、複数の項目のそれぞれの教材を示す項目別教材データＡ１，Ａ２，…で構成されている。この実施形態では、配布用教材データ記憶領域１５２に記憶された教材データは、項目別教材データテーブル記憶領域１５１に記憶された項目毎の項目別教材データのうちの、「難易度」が「３」の項目別教材データが、項目順に並べられて構成されている。
【００１５】
講義別項目テーブル記憶領域１５３には、複数の講義のそれぞれについて、各講義とその講義に含まれる項目との対応関係が記憶されている。図５は、講義別項目テーブルの内容の一例を示す図である。講義別項目テーブルは、図示のように、「講義ＩＤ」と「項目」との各項目が互いに関連付けて構成されている。これらの項目のうち、「講義ＩＤ」の項目には、講義を識別する講義ＩＤ（識別情報）が記憶されている。「項目」の項目には、その講義に含まれる項目を示す項目ＩＤ（識別情報）の列が記憶されている。
配布用教材データ記憶領域１５２に記憶された配布用教材データは、その講義について講義別項目テーブルの示す対応関係に応じた項目で構成されている。
【００１６】
コメント付教材データ記憶領域１５４には、サーバ装置１が端末２に対して配信した配布用教材データに対して、コメントとそのコメントの属性を示すコメントデータが付与された教材データ（以下「コメント付教材データ」という）が複数記憶される。サーバ装置１の制御部１１は、コメントが付与されたコメント付教材データを端末２から受信すると、受信したコメント付教材データをこのコメント付教材データ記憶領域１５４に記憶する。
【００１７】
用語説明テーブル記憶領域１５５には、用語の説明を示す用語説明データが、用語毎に記載されている。図６は、用語説明テーブルの内容の一例を示す図である。このテーブルは、図示のように、「用語」と「用語説明」との各項目が互いに関連付けて構成されている。これらの項目のうち、「用語」の項目には、用語や数式を示すテキストデータが記憶されている。「用語説明」の項目には、その用語や数式の説明や解説の内容を示すテキストデータが記憶されている。
【００１８】
次に、端末２の構成について図面を参照しつつ説明する。図７は、端末２の構成の一例を示すブロック図である。図において、制御部２１，通信部２２，情報入力部２３及び情報出力部２４の機能はそれぞれ、サーバ装置１の制御部１１，通信部１２，情報入力部１３及び情報出力部１４の機能とほぼ同様であり、説明を省略する。要するに、端末２は、記憶部１５を除き、サーバ装置１と同様の構成である。記憶部２５は、制御部２１が参照するデータや、教材データを再生（表示等）するためのアプリケーションプログラム等を記憶する記憶手段であり、例えばハードディスクである。
【００１９】
＜Ｂ：動作＞
次に、本実施形態の動作について説明する。
＜Ｂ−１：講義動作＞
まず、本システムの講義動作について説明する。まず、受講者は、自身の端末を操作して、自身に割り当てられた受講者ＩＤと、受講したい講義の講義ＩＤとを含む配信要求データを、ネットワーク３を介してサーバ装置１に送信する。サーバ装置１は、端末２から配信要求データを受信すると、受信した配信要求データの示す講義の教材を表す配布用教材データを配布用教材データ記憶領域１５２から読み出し、読み出した配布用教材データをその端末２に対して配信する。また、サーバ装置１は、受信した配信要求データの示す講義を表す講義データを、その端末２に対して配信する。なお、この実施形態では、講義データの配信時に配布用教材データを配信するようにしたが、配布用教材データを配信するタイミングは、講義データの配信タイミングと同じである必要はなく、例えば、事前に教材データを配布しておくようにしてもよい。
【００２０】
端末２は、サーバ装置１から配信されてくる講義データを情報出力部２４に出力する。すなわち、端末２は、講義データの表す音声をスピーカから放音するとともに、講義データの表す画像を表示装置に表示する。また、端末２の制御部２１は、受講者によって操作される情報入力部２３からの信号に応じて、サーバ装置１から配信された配布用教材データを、情報出力部２４に出力することによって、配布用教材データの内容を表示装置に表示させたりスピーカから放音させたりする。
【００２１】
図８は、端末２の表示装置に表示される、配布用教材データの表す教材が表示された画面の一例を示す図である。図示のように、この画面Ｇ１には、配布用教材データの示す項目毎の教材を表す画像Ｇ１１，Ｇ１２が表示されるとともに、コメントを挿入するためのコメント挿入ボタンＢ１等が表示される。受講者は、端末２から放音される音声や表示装置に表示される画像を視聴することで、その講義を受講する。
【００２２】
講義の受講中や講義終了後において、受講者は、配布された配布用教材データにコメント等を付与することができる。具体的には、図４に示す画面において、受講者は、情報入力部２３のマウス等を用いて、コメントを挿入したい位置にカーソルＫ１を移動する（又はコメントを挿入したい箇所を選択する）等し、コメント挿入ボタンＢ１を押下する操作を行う。情報入力部２３は、操作された内容に応じた操作信号を出力し、制御部２１は、情報入力部２３から出力される操作信号に応じて、コメントを入力するためのポップアップ画面を表示する。
【００２３】
図９（ａ）〜（ｃ）は、端末２の表示装置に表示されるポップアップ画面の一例を示す図である。図９（ａ）に示すように、端末２の制御部２１は、コメントの種別（属性）を選択するためのリストボックスＬ１と、ＯＫボタンＢ２と、キャンセルボタンＢ３とを含む画面Ｇ２を表示装置に表示する。この実施形態では、リストボックスＬ１において、「リンク情報」と「用語・数式」と「理解度」のうちのいずれかを選択することができる。受講者は、マウス等を用いてリストボックスＬ１からいずれかの属性を選択する。より具体的には、受講者は、この教材の内容に関連するリンク先情報や、この講義の理解を助長することのできるリンク先情報等、この教材に追加したい・追加すべきと考えられるリンク先情報を、「リンク情報」を選択することでこの教材にコメントとして付加することができる。また、受講者は、わかりにくい用語や数式、また、より詳細な説明が必要であると感じた用語や数式を、「用語・数式」を選択することでコメントとしてこの教材に付与することができる。また、受講者は、教材を構成する項目毎の理解度を、「理解度」を選択することで項目毎にこの教材に付与することができる。
【００２４】
リストボックスＬ１において、「リンク情報」が選択された場合には、制御部２１は、ポップアップ画面Ｇ２に、リストボックスＬ１に加えて、図９（ａ）に示すような、リンク情報を入力するためのテキストボックスＴ１を表示させる。受講者は、情報入力部２３のキーボード等を用いてリンク先情報を入力し、ＯＫボタンＢ２を押下する操作を行う。情報入力部２３は、操作内容に応じて信号を出力し、制御部２１は、情報入力部２３からの信号に応じて、コメント（テキストボックスＴ１に入力されたリンク先情報）、そのコメントの属性（「リンク情報」）、リンクの挿入位置等を示すコメントデータを生成し、生成したコメントデータを配布用教材データに付与する。
【００２５】
また、リストボックスＬ１において、「用語・数式」が選択された場合には、制御部２１は、ポップアップ画面に、リストボックスＬ１に加えて、図９（ｂ）に示すような、用語や数式を入力するためのテキストボックスＴ２を表示させる。受講者は、情報入力部２３にキーボード等を用いて用語や数式を入力し（又は画面中の用語や数式を選択し、等）、ＯＫボタンＢ２を押下する操作を行う。情報入力部２３は、操作内容に応じて信号を出力し、制御部２１は、情報入力部２３からの信号に応じて、コメント（テキストボックスＴ２に入力されたテキストデータや画面上で選択されたテキストデータ等）とそのコメントの属性（「用語・数式」）を示すコメントデータを生成し、生成したコメントデータを配布用教材データに付与する。
【００２６】
また、リストボックスＬ１において、「理解度」が選択された場合には、制御部２１は、ポップアップ画面に、リストボックスＬ１に加えて、図９（ｃ）に示すような、項目を選択するためのリストボックスＬ２と、理解度を選択するためのリストボックスＬ３とを表示させる。受講者は、情報入力部２３を用いて項目と理解度を選択し、制御部１１は、情報入力部２３から出力される信号に応じて、コメント（リストボックスＬ２，リストボックスＬ３において選択された値）とそのコメントの属性（「理解度」）を示すコメントデータを生成し、生成したコメントデータを配布用教材データに付与する。
【００２７】
このように、受講者は、講義の最中や講義後において、情報入力部２３を用いて教材の所望する位置にコメントを付与することができる。図１０は、コメントが付与された配布用教材データの内容の一例を示す図である。図示のように、端末２の表示装置には、教材の項目毎の内容を表す画像Ｇ１１，Ｇ１２，…等に加えて、受講者が配布用教材データに付与したコメントＣ１，Ｃ２，…が表示される。
【００２８】
講義を終えると、受講者は、コメントデータが付与されたコメント付教材データを、サーバ装置１へ送信する。サーバ装置１は、複数の端末から送信されてくるコメント付教材データを、複数の端末２から受信し、受信したコメント付教材データをコメント付教材データ記憶領域１５４に順次記憶する。
【００２９】
＜Ｂ−２：教材編集動作＞
次に、サーバ装置１が行う教材編集動作について、図面を参照しつつ説明する。図１１は、サーバ装置１が行う教材編集処理の流れを示すフローチャートである。サーバ装置１は、まず、コメント付教材データ記憶領域１５４に記憶されたコメント付教材データに付与されたコメントデータを属性毎に分類する（ステップＳ１）。
【００３０】
次いで、制御部１１は、属性毎に異なる編集態様で、コメント内容に応じて配布用教材データを編集する。すなわち、制御部１１は、分類されたコメントデータを用いて、配布用教材データをそのコメントデータの属性に応じた編集態様で編集する。より詳細には、この実施形態では、まず、制御部１１は、その教材に含まれる項目のそれぞれについて、属性が「理解度」であるコメントデータを難易度（レベル）毎に集計し、総数が最も多いレベルを判定する（ステップＳ２）。次いで、制御部１１は、配布用教材データのうちの、それらのコメントデータの示す項目の項目別教材データを、判定されたレベルに対応する項目別教材データに差し替えることによって、配布用教材データを編集する（ステップＳ３）。具体的には、例えば、ある項目についての理解度が所定値よりも低い場合には、その項目については、その時点で配布用教材データに含まれている項目別教材データよりも難易度の低い項目別教材データに差し替える。逆に、ある項目についての理解度が所定値よりも高い場合には、その項目については、その時点で配布用教材データに含まれている項目別教材データよりも難易度の高い項目別教材データに差し替える。このように、受講者の理解度に応じて項目毎の教材の内容を差し替えることで、より受講者の理解度に合った教材を作成することができる。
【００３１】
次いで、制御部１１は、コメントデータの属性が「リンク情報」である場合に、コメントデータの示すコメント（リンク先情報）を、そのコメントデータの示す位置に挿入することによって配布用教材データを編集する（ステップＳ４）。
【００３２】
また、制御部１１は、コメントデータの属性が「単語・数式」である場合に、そのコメントデータの示すコメント（用語・数式）に対応する用語説明データを用語説明テーブル記憶領域１５５から読み出し、読み出した用語説明データの示す用語の説明や解説を追記するように前記配布用教材データを編集する（ステップＳ５）。
【００３３】
図１２は、サーバ装置１によって編集された配布用教材データＤ１１の内容の一例を示す図である。図４に示した編集前の配布用教材データＤ１と比較すると、図１２に示す配布用教材データＤ１１は、項目別教材データＡ１が、難易度の異なる項目別教材データＡ１１に差し替えられている。また、図４の項目別教材データＡ２が、用語の解説が記載されている旨を示す注釈データＣ１１が付与された項目別教材データＡ２１に差し替えられている。また、配布用教材データＤ１１には、リンク先情報Ｃ１２が追加されているとともに、用語の解説を示すデータＣ１３が追加されている。
【００３４】
編集された教材用データは、講義の内容をフィードバックさせた教材として受講者に配布することもでき、また、同じ内容の講義を異なる受講者に対して行う場合に用いることもできる。サーバ装置１は、編集済みの配布用教材データを、端末２に送信することによって出力する（ステップＳ６）。なお、出力の態様はこれに限らず、例えば、サーバ装置１が、編集済みの配布用教材データを記憶部１５の所定の領域に記憶するようにしてもよく、また、例えば、編集済みの配布用教材データを所定のＩ／Ｆを介して接続された記録媒体に出力するようにしてもよい。端末２は、サーバ装置１から受信した配布用教材データを記憶部２５に記憶し、記憶した配布用教材データを、受講者の操作等に応じて、表示装置やスピーカに出力する。
【００３５】
なお、上述の図１１に示した編集処理は、例えば、所定のクラス単位でコメントを集計してその集計結果に応じて配布用教材データを編集するようにしてもよく、また、例えば、学年全体でコメントを集計してその集計結果に応じて配布用教材データを編集するようにしてもよく、配布用教材データを編集するためのコメント集計の単位は、受講者のニーズ等によって適宜に設定することができる。また、複数の受講者のコメントを集計せずに、受講者のそれぞれについて、その受講者が付加したコメントに応じてそれぞれ編集を行い、受講者毎に個別に配布用教材データの編集を行うようにしてもよい。
【００３６】
以上説明したように本実施形態によれば、配布された配布用教材データに対して、講義の最中又は終了後に受講者がコメントを付与し、コメントを付与したコメント付教材データをサーバ装置１に送信する。サーバ装置１は、付与されたコメントデータに応じて配布用教材データの再編集を行う。これらの処理を繰り返し行うことにより、同じ配布用教材データから、受講者のレベル・質・興味度に応じた教材に再編集することができる。
【００３７】
更に、本実施形態によれば、例えば、複数のカリキュラムのそれぞれでコメントを集計してその集計結果を反映させた配布用教材データを生成することにより、受講者が受講カリキュラムを選択する際に、同じ内容の講義であっても、再編集された複数の教材の中から、自分のレベル・興味に合わせたカリキュラムを選択することができるようになり、選択の幅が広がる。
【００３８】
また、講義等を行う講師は、受講者が付与したコメントや編集後の配布用教材データを確認することにより、講義内容に不足していた事項を見つけることができるようになり、講義内容の質を高めることができるようになる。
【００３９】
＜Ｃ：変形例＞
以上、本発明の実施形態について説明したが、本発明は上述した実施形態に限定されることなく、他の様々な形態で実施可能である。以下にその一例を示す。なお、以下の各態様を適宜に組み合わせてもよい。
（１）上述の実施形態において、サーバ装置１が、端末２から送信されてくるコメントデータを、所定の条件でフィルタリングするようにしてもよい。すなわち、制御部１１が、端末２から送信されてくるコメントデータを属性毎に分類し、分類したコメントデータのなかから、予め定められた条件を満たすものを抽出し、抽出したコメントデータを用いて、配布用教材データをそのコメントデータの属性に応じた編集態様で編集するようにしてもよい。具体的には、例えば、端末２から送信されてきたコメントデータのなかにその内容が重複するものがある場合に、制御部１１が、それら重複するコメントデータのなかからいずれかを抽出し、それ以外のコメントデータを破棄するようにしてもよい。また、例えば、制御部１１が、コメントデータの数が予め定められた閾値以上である場合に、それらのコメントデータのなかから予め定められた個数のコメントデータをランダムに抽出するようにしてもよい。また、例えば、制御部１１が、その内容が重複するコメントデータの総数が予め定められた閾値以上であるコメントデータのみを抽出するようにしてもよい。要するに、制御部１１が、端末２から送信されてくるコメントデータのなかから、所定のアルゴリズムに従って少なくともいずれかひとつを抽出するようにすればよい。
【００４０】
（２）上述の実施形態では、制御部１１が、配布用教材データに付与されたコメントデータを用いて、その配布用教材データを編集するようにしたが、これに限らず、配布用教材データに付与されたコメントデータを用いて、その配布用教材データとは異なる他の配布用教材データを編集するようにしてもよい。具体的には、例えば、制御部１１が、ある配布用教材データＤ１０に付与されたコメントデータを用いて、配布用教材データＤ１０とは異なる配布用教材データＤ１１を編集するようにしてもよい。この場合、具体的には、例えば、制御部１１が、コメントデータの示す理解度に応じた項目別教材データを選択して配布用教材データＤ１１を生成するようにしてもよく、また、例えば、属性が「用語・数式」のコメントデータに含まれる用語や数式と一致するものが配布用教材データＤ１１に含まれる場合に、その用語や数式の説明を配布用教材データＤ１１に追記するようにしてもよい。
【００４１】
（３）上述の実施形態では、コメントデータの属性として「リンク情報」、「用語・数式」、「理解度」を示したが、コメントデータの属性はこれに限らず、コメントの属性や種類を示すものであればどのようなものであってもよい。要するに、制御部１１が、配布用教材データを、それぞれのコメントデータの属性に応じた編集態様で編集するようにすればよい。
【００４２】
（４）上述の実施形態では、複数の端末２のそれぞれから送信されてくるコメントデータをサーバ装置１が集計し、集計結果に応じて、ひとつの配布用教材データを編集するようにしたが、これに限らず、受講者毎に編集内容を個別管理し、配布用教材データを受講者毎に個別に編集するようにしてもよい。
【００４３】
（５）上述した実施形態では、受講者が教材にコメントを付与するために、端末２が、コメントを入力するためのポップアップ画面を表示するようにしたが、受講者にコメントの入力を促す処理はこれに限らない。要は、端末２が教材にコメントを付加する処理を行うものであればどのようなものであってもよい。
また、上述の実施形態では、端末２は、コメントデータが付与された配布用教材データをサーバ装置１に送信したが、これに限らず、コメントデータのみをサーバ装置１に送信するようにしてもよい。
【００４４】
（６）上述の実施形態では、項目毎の理解度を、受講者が自身の判断で手入力するようにしたが、サーバ装置１が理解度を取得する態様はこれに限らず、例えば、ネットワークを用いて試験を行い、サーバ装置１が試験結果に応じて理解度を算出するようにしてもよい。要は、サーバ装置１の制御部１１が理解度を示すデータを取得するものであればどのようなものであってもよい。
【００４５】
（７）上述した実施形態におけるサーバ装置１の制御部１１によって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記録した状態で提供し得る。また、インターネットのようなネットワーク経由でサーバ装置１にダウンロードさせることも可能である。
【図面の簡単な説明】
【００４６】
【図１】本発明の一実施形態であるネットワーク講義システムの構成を示す図である。
【図２】サーバ装置の構成を示すブロック図である。
【図３】項目別教材データテーブルの内容の一例を示す図である。
【図４】配布用教材データの内容の一例を示す図である。
【図５】講義別項目テーブルの内容の一例を示す図である。
【図６】用語説明テーブルの内容の一例を示す図である。
【図７】端末の構成を示すブロック図である。
【図８】表示装置に表示される画面の一例を示す図である。
【図９】表示装置に表示される画面の一例を示す図である。
【図１０】表示装置に表示される画面の一例を示す図である。
【図１１】サーバ装置１が行う教材編集処理の流れを示すフローチャートである。
【図１２】配布用教材データの内容の一例を示す図である。
【符号の説明】
【００４７】
１…サーバ装置、２…端末、３…ネットワーク、１１，２１…制御部、１２，２２…通信部、１３，２３…情報入力部、１４，２４…情報出力部、１５，２５…記憶部、１５１…項目別教材データテーブル記憶領域、１５２…配布用教材データ記憶領域、１５３…講義別項目テーブル記憶領域、１５４…コメント付教材データ記憶領域、１５５…用語説明テーブル記憶領域。
【図１】
0005194903.tif 000002
【図２】
0005194903.tif 000003
【図３】
0005194903.tif 000004
【図４】
0005194903.tif 000005
【図５】
0005194903.tif 000006
【図６】
0005194903.tif 000007
【図７】
0005194903.tif 000008
【図８】
0005194903.tif 000009
【図９】
0005194903.tif 000010
【図１０】
0005194903.tif 000011
【図１１】
0005194903.tif 000012
【図１２】
0005194903.tif 000013